(57)【要約】      （修正有）【課題】室外機を薄型化しつつ、室外機内部の気流を効率よく外部へと送り出すことができる構造を提供する。【解決手段】室外機１のファンユニット１２は、モータ２と、モータ２の動力によって回転するインペラ３と、インペラ３の前方に配置されたパネル４とを有する。モータ２の静止部２１は、パネル４に固定される。インペラ３の回転により生じる気流は、パネル４に設けられた複数の貫通孔４４を通過する。また、このファンユニット１２は、パネル４の周縁に、軸方向に突出した整流突起を有する。インペラ３から生じる気流は、整流突起によって整流される。このため、モータ２をパネル４に固定し、かつ、パネル４の通気性が悪化することを抑制できる。【選択図】図２
2019011872.tif 000002
【特許請求の範囲】
【請求項１】
エアコンディショナーの室外機に用いられるファンユニットであって、
モータと、
前記モータの動力によって、前後に延びる中心軸周りに回転するインペラと、
前記インペラの前方に配置され、前記インペラの回転により生じる気流を通過させる複数の貫通孔を有するパネルと、
を有し、
前記モータは、
ステータを有する静止部と、
前記ステータよりも径方向外側に位置するマグネットを有する回転部と、
を有し、
前記静止部は、前記パネルに固定され、
前記パネルの周縁に、軸方向に突出した整流突起を有するファンユニット。
【請求項２】
請求項１に記載のファンユニットであって、
前記整流突起は、環状であるファンユニット。
【請求項３】
請求項２に記載のファンユニットであって、
前記整流突起は、前記中心軸と同軸の円環状であるファンユニット。
【請求項４】
請求項１から請求項３までのいずれか１項に記載のファンユニットであって、
前記整流突起は、前記パネルの後面から前記モータ側へ向けて突出する内側整流突起を含むファンユニット。
【請求項５】
請求項４に記載のファンユニットであって、
前記インペラの少なくとも一部分と、前記内側整流突起の少なくとも一部分とが、径方向に重なるファンユニット。
【請求項６】
請求項１から請求項５までのいずれか１項に記載のファンユニットであって、
前記整流突起は、前記パネルの前面から前記モータ側とは反対側へ向けて突出する外側整流突起を含むファンユニット。
【請求項７】
請求項１から請求項６までのいずれか１項に記載のファンユニットであって、
前記整流突起の内周面の内径は、前記整流突起の軸方向の先端へ向かうにつれて拡大するファンユニット。
【請求項８】
請求項１から請求項６までのいずれか１項に記載のファンユニットであって、
前記整流突起の内周面の内径は、前記整流突起の軸方向の先端へ向かうにつれて縮小するファンユニット。
【請求項９】
請求項１から請求項８までのいずれか１項に記載のファンユニットであって、
前記静止部は、前記ステータの少なくとも一部を覆うモールド樹脂を有するファンユニット。
【請求項１０】
エアコンディショナーの室外機であって、
請求項１から請求項９までのいずれか１項に記載のファンユニットと、
熱交換器と、
を有し、
前記熱交換器と前記パネルとの間に、前記インペラが配置され、
前記気流は、前記熱交換器側から前記パネル側に向かって発生する室外機。
【発明の詳細な説明】
【技術分野】
【０００１】
本発明は、エアコンディショナーの室外機に用いられるファンユニット、および、エアコンディショナーの室外機に関する。
【背景技術】
【０００２】
従来、エアコンディショナーの室外機は、吸気口および排気口を有する筐体と、吸気口と排気口との間に配置されたファンモータと、吸気口に取り付けられた熱交換器と、排気口に取り付けられたパネルとを有する。従来の室外機の構造は、例えば、特開平０９−１５９２１６号公報に記載されている。
【０００３】
一般的な室外機では、ファンモータを筐体に固定するために、モータブラケット、モータステー等と呼ばれるファンモータ支持具を用いる。特開平０９−１５９２１６号公報には、このようなファンモータ支持具がファンモータのインペラの下流側または上流側に配置された室外機が開示されている（図１（Ａ）、図２）。
【特許文献１】特開平０９−１５９２１６号公報
【発明の概要】
【発明が解決しようとする課題】
【０００４】
一方、近年、室外機の薄型化が求められている。ファンモータ支持具を用いてファンモータを筐体に固定すると、ファンモータのインペラと、排気口または吸気口との間にファンモータ支持具を配置するための空間が必要となる。したがって、室外機のさらなる薄型化が困難である。
【０００５】
室外機をさらに薄型化するための方法として、ファンモータ支持具を省略して、ファンモータをパネルに固定する方法が考えられる。しかしながら、モータをパネルに固定すると、パネルが振動することによって、パネルの通気性が悪化する場合がある。
【０００６】
本発明の目的は、室外機を薄型化しつつ、室外機内部の気流を効率よく外部へと送り出すことができる技術を提供することである。
【課題を解決するための手段】
【０００７】
本願の例示的な第１発明は、エアコンディショナーの室外機に用いられるファンユニットであって、モータと、前記モータの動力によって、前後に延びる中心軸周りに回転するインペラと、前記インペラの前方に配置され、前記インペラの回転により生じる気流を通過させる複数の貫通孔を有するパネルと、を有し、前記モータは、ステータを有する静止部と、前記ステータよりも径方向外側に位置するマグネットを有する回転部と、を有し、前記静止部は、前記パネルに固定され、前記パネルの周縁に、軸方向に突出した整流突起を有する。
【発明の効果】
【０００８】
本願の例示的な第１発明によれば、インペラから生じる気流を、整流突起によって整流できる。このため、モータをパネルに固定し、かつ、パネルの通気性が悪化することを抑制できる。
【図面の簡単な説明】
【０００９】
【図１】図１は、室外機の斜視図である。
【図２】図２は、室外機の縦断面図である。
【図３】図３は、パネルの正面図である。
【図４】図４は、パネルの背面図である。
【図５】図５は、パネルの部分断面図である。
【図６】図６は、パネルの斜視図である。
【図７】図７は、変形例に係る室外機の縦断面図である。
【図８】図８は、変形例に係る室外機の縦断面図である。
【発明を実施するための形態】
【００１０】
以下、本発明の例示的な実施形態について、図面を参照しながら説明する。なお、以下の説明においては、室外機の吸気口側を「後」、排気口側を「前」として、前後方向を定義する。図１、図２、図７および図８では、前方を「Ｆ」、後方を「Ｂ」として、前後方向が矢印で示されている。
【００１１】
＜１．室外機の構成＞
図１は、一実施形態に係る室外機１の斜視図である。図２は、室外機１の縦断面図である。この室外機１は、エアコンディショナーの室外機であり、エアコンディショナーの室内機とともに用いられ、室内機を介して室内の熱を室外へと放出するために用いられる。
【００１２】
室外機１は、筐体１１と、ファンユニット１２と、熱交換器１３と、電源１４と、図示を省略した圧縮機とを有する。筐体１１は、熱交換器１３および後述するインペラ３を内部に収容する略直方体状の筐体である。筐体１１は、前面すなわち正面に排気口１１１を有し、後面すなわち背面に吸気口１１２を有する。
【００１３】
ファンユニット１２は、モータ２と、インペラ３と、パネル４とを有する。インペラ３は、モータ２の動力によって、前後に延びる中心軸９周りに回転する。パネル４は、排気口１１１を覆う。パネル４は、インペラ３の回転により生じる気流を通過させる複数の貫通孔４４を有する。熱交換器１３は、吸気口１１２を覆うように配置される。電源１４は、モータ２へ駆動電流を供給する装置である。電源１４とモータ２とは、リード線１５を介して電気的に接続される。なお、図１中、電源１４およびリード線１５は破線で示されている。
【００１４】
モータ２が駆動されると、インペラ３が回転し、後方から前方へ向かう気流が発生する。これにより、外気が吸気口１１２を通って筐体１１内に吸入され、熱交換器１３を通過する。当該外気は、熱交換器１３の伝熱管内を循環する冷媒と熱交換して加熱または冷却された後、排気口１１１から外部に排出される。
【００１５】
＜２．ファンユニットの構成＞
続いて、ファンユニット１２の構成について、図２〜図５を参照しつつ説明する。図３は、室外機１に用いられるファンユニット１２のパネル４の正面図である。図４は、パネル４の背面図である。図５は、図３および図４のＡ−Ａ’線に沿ったパネル４の部分断面図である。なお、図４では、後述する整流突起７０の図示が省略されている。
【００１６】
上記の通り、ファンユニット１２は、モータ２と、インペラ３と、パネル４とを有する。モータ２は、静止部２１と、回転部２２とを有する。静止部２１は、ベース部２１１と、ステータ２１２とを有する。回転部２２は、静止部２１に対して、前後に延びる中心軸９周りに回転可能に支持される。回転部２２は、シャフト２２１と、ロータカップ２２２と、マグネット２２３とを有する。
【００１７】
ベース部２１１は、パネル４の後述する中央部４１に固定される第１固定部５１と、第１固定部５１から後方へ延びる略円筒状の第２固定部５２とを有する。第１固定部５１は、軸方向に対して垂直に拡がる。第２固定部５２の内周部には、２つの軸受機構５２１が備えられている。シャフト２２１は、その一部が第２固定部５２の径方向内側に収容され、軸受機構５２１を介して第２固定部５２に対して回転可能に支持される。本実施形態の軸受機構５２１は、第２固定部５２の内周面に固定される外輪と、シャフト２２１の外周面に固定される内輪とを有するボールベアリングである。ただし、ボールベアリングに代えて、スリーブ軸受等の他方式の軸受が用いられてもよい。
【００１８】
ステータ２１２は、ステータコア５３と、コイル５４とを有する。ステータコア５３は、例えば、珪素鋼板等の電磁鋼板が軸方向に積層された積層鋼板からなる。ステータコア５３は、第２固定部５２の外周面に固定される。また、ステータコア５３は、径方向外側へ向けて突出した複数のティース５３１を有する。複数のティース５３１は、周方向に略等間隔に配列される。コイル５４は、各ティース５３１の周囲に巻かれた導線により構成される。
【００１９】
シャフト２２１は、軸方向に延びる略円柱状の部材である。シャフト２２１の前端を含む一部は、ベース部２１１の第２固定部５２の径方向内側に配置される。シャフト２２１の後端は、第２固定部５２の後端よりも後側へ突出している。
【００２０】
ロータカップ２２２は、円板部６１と円筒部６２とを有する。円板部６１は、シャフト２２１の外周部から径方向に拡がる板状の部位である。シャフト２２１の後端付近は、円板部６１の径方向内側の端部に固定される。円筒部６２は、円板部６１の外周部から軸方向に延びる略円筒状の部位である。円筒部６２は、マグネット２２３の径方向外側かつインペラ３の径方向内側に位置する。
【００２１】
マグネット２２３は、ステータ２１２よりも径方向外側に位置する略円環状のマグネットである。マグネット２２３の内周面は、複数のティース５３１の径方向外側の端面と、径方向に対向する。また、マグネット２２３の内周面には、Ｎ極とＳ極とが、周方向に交互に着磁されている。
【００２２】
なお、円環状のマグネット２２３に代えて、複数のマグネットが使用されていてもよい。複数のマグネットを使用する場合には、Ｎ極とＳ極とが交互に並ぶように、複数のマグネットを周方向に配列すればよい。また、ロータカップ２２２とマグネット２２３とが、一繋がりのプラスチックマグネットにより形成されていてもよい。
【００２３】
インペラ３は、ロータカップ２２２の円筒部６２の外周面から径方向外側へ延びる複数の羽根３１を有する。インペラ３は、熱交換器１３よりも前方、かつ、パネル４よりも後方に配置される。モータ２の駆動時には、インペラ３が、中心軸９周りに回転する。
【００２４】
パネル４は、筐体１１の排気口１１１に配置される。すなわち、パネル４は、インペラ３の前方において、水平面に対して垂直に配置される。パネル４は、インペラ３の回転により生じる気流を通過させる複数の貫通孔４４を有する。パネル４は、フィンガーガードとして使用者等の指がインペラと接触するのを防止するとともに、外部から排気口１１１を介して筐体１１内に異物が進入するのを防止する。パネル４は、中央部４１と、枠部４２と、通気部４３と、１つのリブ６０と、整流突起７０とを有する。
【００２５】
中央部４１は、モータ２の静止部２１を支持する部位である。具体的には、ベース部２１１の第１固定部５１が中央部４１の背面に設けられた凹部に嵌まることにより、ベース部２１１が中央部４１に固定される。
【００２６】
枠部４２は、中央部４１の径方向外側において、排気口１１１の縁部に沿って配置される略円環状の部位である。
【００２７】
通気部４３は、中央部４１の径方向外側かつ枠部４２の径方向内側に拡がる略円環状の部位である。通気部４３には、複数の貫通孔４４が設けられる。
【００２８】
図３および図４に示すように、本実施形態では、中央部４１および枠部４２と隣接する貫通孔４４を除いて、貫通孔４４の軸方向に見た形状が、正六角形である。このように、貫通孔４４の形状が多角形であることにより、パネル４の剛性を向上できる。さらに、貫通孔４４の形状が正六角形であることにより、パネル４の剛性をより向上できる。
【００２９】
本実施形態では、通気部４３は、軸方向に対して垂直に延び、かつ、軸方向に厚みを有する仕切部４３１により形成されている。このため、仕切部４３１がハニカム形状に連なることにより、正六角形の貫通孔４４が形成される。
【００３０】
リブ６０は、中央部４１の外周部から径方向外側へ向けて延びる。リブ６０の周方向の幅は、通気部４３の他の部分の軸方向に見た幅よりも大きい。すなわち、リブ６０の周方向の幅は、仕切部４３１の幅よりも大きい。なお、ここでいう仕切部４３１の幅とは、軸方向に対して垂直、かつ、仕切部４３１の延びる方向に対して垂直な方向の幅を指すものとする。
【００３１】
本実施形態では、リブ６０の前端部は、通気部４３の他の部分の前端部と軸方向の位置が略同一である。また、リブ６０の後端部は、通気部４３の他の部分の後端部と軸方向の位置が略同一である。すなわち、リブ６０は、通気部４３の他の部分よりも軸方向に突出していない。
【００３２】
パネル４がモータ２を支持することにより、モータ２からパネル４に、駆動時の振動が伝播しやすくなる。しかしながら、このファンユニット１２では、パネル４がリブ６０を有することにより、パネル４の剛性が向上する。これにより、モータ２の駆動時におけるパネル４の振動を抑制できる。その結果、パネル４の変形を抑制できる。
【００３３】
本実施形態では、貫通孔４４は、通気部４３のみに設けられる。すなわち、貫通孔４４は、パネル４のうち中央部４１を除く領域に設けられている。このようにすれば、モータ２を取り付ける中央部４１において、貫通孔４４による剛性の低下が抑制される。また、モータ２と中央部４１との接触面積が増えるため、モータ２をパネル４に対して強固に固定できる。なお、モータ２のベース部２１１と、パネル４の中央部４１との間に、緩衝材を配置してもよい。そうすれば、モータ２の振動がパネル４により伝達しにくくなる。
【００３４】
本実施形態のパネル４は、プラスチックにより一体に成形される。したがって、中央部４１、枠部４２、通気部４３およびリブ６０は、一体に成形される。しかしながら、本発明はこれに限られない。例えば、通気部は、針金状の金属により形成された金網であってもよい。また、リブ６０は、中央部４１、枠部４２および通気部４３とは別体の部材であってもよい。
【００３５】
本実施形態では、室外機１は、モータ２から延び、電源１４と接続されるリード線１５を有する。モータ２の静止部２１は、リード線１５を保持するリード線保持部２１３を有する。リード線保持部２１３は、ベース部２１１と一体に形成される。図４中には、モータ２のロータカップ２２２の外周面と、リード線保持部２１３と、リード線１５の一部とが破線で示されている。
【００３６】
図４に示すように、リブ６０は、後端面から前方へ向かって凹む保持溝６００を有する。保持溝６００は、リブ６０の延びる方向に沿って延びる。また、保持溝６００は、その内部にリード線１５を保持する。これにより、リード線保持部２１３を介してモータ２から径方向外側に延びるリード線１５の一部は、リブ６０に沿って配置される。
【００３７】
リード線１５がリブ６０に沿って配置されることにより、リード線１５が貫通孔４４と軸方向に重なるのが抑制される。したがって、リード線１５が気流の妨げとなることが抑制される。これにより、室外機１の外部へ排出される風量が、リード線１５によって低下することを抑制できる。また、リード線１５が保持溝６００内に保持されることにより、リード線１５の位置ずれを抑制できる。さらに、リード線１５がインペラ３に接触することも抑制できる。
【００３８】
なお、リブ６０は、保持溝６００を有していなくてもよい。例えば、リブ６０の背面側にスナップフィット式の固定用突起を設け、当該固定用突起によりリード線１５を固定してもよい。また、その他の方法によりリブ６０の背面側にリード線１５を固定してもよい。
【００３９】
図５に示すように、通気部４３において、貫通孔４４を形成する仕切部４３１は、背面側にテーパ面４３２を有する。これにより、仕切部４３１の後端部付近は、後方に向かうにつれて厚みが小さくなる。したがって、インペラ３により発生した風が、通気部４３の仕切部４３１の後端に達した際に、テーパ面４３２にガイドされて貫通孔４４へと向かう。その結果、インペラ３により発生した風が仕切部４３１に衝突することで騒音が発生するのが抑制される。
【００４０】
＜３．整流突起について＞
このファンユニット１２は、パネル４を通過する気流を整流するための整流突起７０を有する。以下では、ファンユニット１２の当該整流突起７０について説明する。図６は、整流突起７０を含むパネル４の斜視図である。
【００４１】
整流突起７０は、パネル４の周縁に配置される板状の部位である。図２および図６に示すように、本実施形態の整流突起７０は、パネル４の後面からモータ２側へ向けて軸方向後方へ突出する内側整流突起７１である。インペラ３が回転すると、インペラ３から前方へ向かう気流と、インペラ３から径方向外側へ広がる気流とが発生する。内側整流突起７１は、インペラ３から径方向外側へ広がる気流を、前方へ向かうように整流する。
【００４２】
特に、本実施形態の内側整流突起７１は、中心軸９と同軸の円環状である。このため、インペラ３から径方向外側へ広がる気流を、前方へ均一に整流できる。なお、内側整流突起７１は、モータ２と電源１４とを繋ぐリード線１５が通る孔またはスリットを有していてもよい。
【００４３】
また、図２および図６に示すように、内側整流突起７１は、第１突起８１、第２突起８２および第３突起８３を有する。本実施形態では、第１突起８１、第２突起８２および第３突起８３が、いずれも環状である。第１突起８１は、パネル４の後面から後方へ向けて延びる。第１突起８１の内径は、後方へ向かうにつれて次第に縮小する。第２突起８２は、第１突起８１の後端から後方に向けて、中心軸９と略平行に延びる。第３突起８３は、第２突起８２の後端から後方に向けて延びる。第３突起８３の内径は、後方へ向かうにつれて次第に拡大する。そして、インペラ３の少なくとも一部分と、第１突起８１、第２突起８２、または第３突起８３の少なくとも一部分とが、径方向に重なる。
【００４４】
インペラ３から径方向外側へ広がる気流は、第１突起８１の内周面に沿って、スムーズに前方へ整流される。第１突起８１の内周面が、前方へ向かうにつれて拡径することにより、第１突起８１への気流の衝突による騒音の発生が、抑制される。また、仮に、第３突起８３が無かったとすると、インペラ３から径方向外側へ広がる気流の一部が、内側整流突起７１の後端部に衝突する。これにより、気流が分断されて、大きな騒音が発生し得る。しかしながら、本実施形態では、内側整流突起７１の後端部に、内周面が後方へ向かうにつれて拡径する第３突起８３が設けられている。このため、内側整流突起７１の後端部において発生する騒音も低減できる。
【００４５】
また、熱交換器１３からインペラ３へ向けて、前方に流れる気流は、まず第３突起８３により、径方向内側へと整流される。そして、径方向内側に集合した気流は、インペラ３から生じた前方へ向かう気流とともに、第２突起８２の内周面に沿って、前方へ送られる。その後、第２突起８２を通過した気流は、前方へ向かうにつれて拡径する第１突起８１に沿って、スムーズに前方へと送られる。
【００４６】
このように、本実施形態の構造では、内側整流突起７１により、室外機１内の気流を、効率よく外部へと送り出すことができる。特に、モータ２をパネル４に固定した場合、モータ２の回転に伴いパネル４が振動する。また、パネル４の振動に伴ってインペラ３が振動し、径方向外側へ広がる気流が増加する。しかしながら、本実施形態のファンユニット１２では、整流突起７０により、気流を前方へ整流できる。したがって、パネル４にモータ２を固定し、かつ、パネル４の前方へ気流を効率よく送ることができる。すなわち、モータ２をパネル４に固定して室外機１を薄型化することと、室外機１の通気性とを、両立できる。
【００４７】
インペラ３の羽根３１は、内側整流突起７１と接触しない範囲で大きく形成することが好ましい。特に、第１突起８１または第３突起８３の内周面の傾斜角度を、インペラ３１の外端部の形状に沿った傾斜角度にすれば、インペラ３の大きさを、より大きくすることができる。その結果、インペラ３の回転数を抑えつつ、インペラ３による送風量を増加させることができる。
【００４８】
＜４．変形例＞
以上、本発明の例示的な実施形態について説明したが、本発明は上記の実施形態に限定されるものではない。
【００４９】
図７は、一変形例に係る室外機１Ａの縦断面図である。この室外機１Ａのパネル４Ａは、整流突起７０Ａである外側整流突起７２Ａを有する。図７に示すように、外側整流突起７２Ａは、パネル４Ａの周縁に環状に配置される。また、外側整流突起７２Ａは、パネル４Ａの前面から、モータ２Ａとは反対側である前方へ向けて延びる。このように、整流突起７０Ａをパネル４Ａの前方に設けた場合、パネル４Ａの前方の気流が整流される。これにより、室外機１Ａの内部の気流を効率よく外部へと送り出すことができる。
【００５０】
特に、図７の例では、外側整流突起７２Ａの内周面の内径が、外側整流突起７２Ａの前端へ向かうにつれて拡大する。このようにすれば、外側整流突起７２Ａによる流路抵抗を低減できる。その結果、外側整流突起７２Ａの内周面が中心軸と平行に延びる場合よりも、パネル４Ａを通過して室外機１Ａの外部へ排出される気体の量を、増加できる場合がある。
【００５１】
図８は、他の変形例に係る室外機１Ｂの縦断面図である。この室外機１Ｂのパネル４Ｂは、整流突起７０Ｂである外側整流突起７２Ｂを有する。図８に示すように、外側整流突起７２Ｂは、パネル４Ｂの周縁に環状に配置される。また、外側整流突起７２Ｂは、パネル４Ｂの前面から、モータ２Ｂとは反対側である前方へ向けて延びる。このように、整流突起７０Ｂをパネル４Ｂの前方に設けた場合、パネル４Ｂの前方の気流が整流される。これにより、室外機１Ｂの内部の気流を効率よく外部へと送り出すことができる。
【００５２】
特に、図８の例では、外側整流突起７２Ｂの内周面の内径が、外側整流突起７２Ｂの前端へ向かうにつれて縮小する。このようにすれば、水滴や異物が室外機１Ｂの内部へ進入することを、外側整流突起７２Ｂによって、より抑制できる。
【００５３】
また、上記の実施形態では、内側整流突起は、第１突起、第２突起および第３突起を有していた。しかしながら、内側整流突起の形状はこれに限られない。例えば、内側整流突起は、パネルの後面から内側整流突起の後端へ向かうにつれて内径が拡大する突起のみを有していてもよい。また、内側整流突起は、パネルの後面から内側整流突起の後端へ向かうにつれて内径が縮小する突起のみを有していてもよい。
【００５４】
また、上記の実施形態では、パネルと整流突起とが、単一の部材により形成されていた。しかしながら、パネルと整流突起とは、互いに別部材であってもよい。
【００５５】
また、上記の実施形態では、貫通孔の基本的な形状が四角形や正六角形等の多角形であった。しかしながら、貫通孔の形状は、円形や楕円形であってもよいし、その他の形状であってもよい。
【００５６】
また、上記の実施形態では、パネルの枠部の径方向内縁の形状が軸方向から見て略円形であった。しかしながら、枠部の径方向内縁の形状は、軸方向から見て正六角形、正八角形または正十二角形等の多角形であってもよいし、その他の形状であってもよい。
【００５７】
また、上記の実施形態では、パネルの中央部の径方向外縁の形状が軸方向から見て略円形であった。しかしながら、中央部の径方向外縁の形状は、軸方向から見て正六角形、正八角形または正十二角形等の多角形であってもよいし、その他の形状であってもよい。
【００５８】
また、上記の実施形態のモータでは、静止部のステータが露出していたが、ステータは、モールド樹脂で覆われていてもよい。換言すれば、静止部は、ステータの少なくとも一部を覆うモールド樹脂を有していてもよい。ステータをモールド樹脂で覆えば、ステータへの水滴の付着を、より抑制できる。また、モータの駆動時に、ステータが磁気的作用で微振動することを抑制できる。したがって、モータの駆動時に発生する振動や騒音を、さらに抑制できる。
【００５９】
室外機およびファンユニットの各部を実現するための具体的な構成については、上記の実施形態に示された構成と、相違していてもよい。また、上記の実施形態や変形例に登場した各要素を、矛盾が生じない範囲で、適宜に組み合わせてもよい。
【産業上の利用可能性】
【００６０】
本発明は、ファンユニットおよび室外機に利用できる。
【符号の説明】
【００６１】
１，１Ａ，１Ｂ  室外機
２，２Ａ，２Ｂ  モータ
３  インペラ
４，４Ａ，４Ｂ  パネル
１１  筐体
１２  ファンユニット
１３  熱交換器
１４  電源
１５  リード線
２１  静止部
２２  回転部
３１  羽根
４１  中央部
４２  枠部
４３  通気部
４４  貫通孔
５１  第１固定部
５２  第２固定部
５３  ステータコア
５４  コイル
６０  リブ
６１  円板部
６２  円筒部
７０，７０Ａ，７０Ｂ  整流突起
７１  内側整流突起
７２Ａ，７２Ｂ  外側整流突起
８１  第１突起
８２  第２突起
８３  第３突起
１１１  排気口
１１２  吸気口
２１１  ベース部
２１２  ステータ
２１３  リード線保持部
２２１  シャフト
２２２  ロータカップ
２２３  マグネット
【図１】
2019011872.tif 000003
【図２】
2019011872.tif 000004
【図３】
2019011872.tif 000005
【図４】
2019011872.tif 000006
【図５】
2019011872.tif 000007
【図６】
2019011872.tif 000008
【図７】
2019011872.tif 000009
【図８】
2019011872.tif 000010